(57)【要約】【課題】  遊技機裏面側空間が狭い場所に設置しても、遊技機裏面に取り付けられカバーで覆われた回路基板を効率よく冷却させて、高温により回路の機能を停止させるという問題を解決し得る遊技機の回路基板冷却構造を提供する。【解決手段】  回路基板３２の部品実装面側及び半田付け面側の双方の空間６３，６４を上方及び下方で各々連通させる上及び下連通室６５，６２を設けた。遊技機上方の正面側に形成された上開口１４及び上連通室６５相互間を連通させる上通気路６６と、遊技機下方の正面側に形成された下開口１６及び下連通室６２相互間を連通させる下通気路６１とを設けた。昇温した回路基板３２の部品実装面側及び半田付け面側の空気の熱交換先を、遊技機島内の空間ではなく遊技者通路側の空間とし、回路基板３２を効率よく冷却させた。【選択図】        図８
2006026292.tif 000002
【特許請求の範囲】
【請求項１】
回路基板が裏面に取り付けられ、その周囲がカバーで覆われ、前記回路基板の部品実装面側及び半田付け面側の双方の空間が各々面方向に通気可能に形成された遊技機の回路基板冷却構造において、
前記カバーは、前記回路基板の遊技機裏面側の露出面全周を通気不能に覆うように形成され、
このカバー内には、
前記双方の空間をその上方及び下方で各々連通させる上及び下連通室と、
遊技機上方の正面側に形成された上開口及び前記上連通室相互間を連通させる上通気路と、
遊技機下方の正面側に形成された下開口及び前記下連通室相互間を連通させる下通気路とを具備することを特徴とする遊技機の回路基板冷却構造。
【請求項２】
請求項１に記載の遊技機の回路基板冷却構造において、
上開口及び下開口相互間の通気経路途中に配置され、前記下開口から吸気した外気を前記通気経路を通って前記上開口から排気させる強制冷却空気流を発生させるファンを具備することを特徴とする遊技機の回路基板冷却構造。
【発明の詳細な説明】
【技術分野】
【０００１】
本発明は、裏面に制御回路基板が取り付けられ、その周囲がカバーで覆われた遊技機の回路基板冷却構造に関するものである。
【背景技術】
【０００２】
近年、パチンコ機等の遊技機は、マイクロコンピュータ等を制御回路に用いた電子回路化が進んでいる。この制御回路が組み込まれた制御回路基板は遊技機の裏面に取り付けられ、その周囲はカバーで覆われている。
このカバーは、制御回路基板を物理的に保護すると共に、制御回路基板に外部から手が加えられることを防止できる利点があるが、この制御回路基板から、詳しくはこの基板に実装された電子／電気部品（以下、部品と略記する。）から発生する熱をこもらせるようにも作用する。
【０００３】
このため、カバーに多数の通気孔を設けて対処していたが、これではカバー内側に対面する制御回路基板の部品実装面側の通気、放熱（冷却）は可能であっても、この部品実装面側とは反対側の面、つまり半田付け面側の通気、放熱はなされない。したがって、カバー内の半田付け面側の空間を昇温させて半田を溶かし、実装部品の電気的な接続を不安定にし、最悪の場合には制御回路の機能を停止させた。
【０００４】
そこで従来、制御回路基板の部品実装面側の空間のみならず、これとは反対側の半田付け面側の空間も、通気孔によって外部と通気されるようにし、両方の空間の温度上昇を抑制するようにした遊技機が提案された（例えば、特許文献１参照）。
【特許文献１】特許第２５４１１５６号公報
【発明の開示】
【発明が解決しようとする課題】
【０００５】
しかしながら上記従来技術では、制御回路基板のカバー内の空間を通気するだけであるため、つぎのような問題点があった。
遊技機、特にパチンコ機は、通常、島と呼ばれる設置場所（遊技機島）に複数台左右方向に並べて取り付けられる。この場合、正面（遊技盤面）側は、遊技者が遊技をする側であるので遊技機島外側、つまり遊技者通路側に面している。
したがって、遊技機の裏面側は遊技機島内側に面し、遊技機島内は多数の遊技機の裏面側が露出している。一方、遊技機島内には、遊技球を循環させる遊技球還元機等も設置されている。つまり遊技機島内は、狭い空間にも拘わらず、各遊技機のランプや電源装置、ホールコンピュータとの通信回路、更には遊技球還元機やこれに付設される結露防止用ヒータ等、発熱源となる部品や装置が多数置かれている。
【０００６】
このため、従来技術において、遊技機の制御回路基板の部品実装面側及び半田付け面側の空間共に通気孔によって外部と通気されるようにしても、結局は遊技機島内で熱交換されるだけに過ぎない。したがって、島電源オンからの時間経過に伴い、遊技島内に熱がこもってくると、やはり制御回路基板のカバー内の温度は高温となる。その結果、制御回路基板の半田付け面の半田を溶かし、実装部品の電気的な接続を不安定にする等によって、最悪の場合、制御回路の機能を停止させるという問題を解決するに至らなかった。
【０００７】
本発明は、上記のような実情に鑑みなされたもので、遊技機島のように遊技機設置場所の遊技機裏面側空間が狭く、あるいは熱交換効率の低い場合でも、遊技機裏面に取り付けられて周囲がカバーで覆われた遊技機制御用等の回路基板を効率よく放熱（冷却）させ、高温により回路の機能を停止させるという問題を解決し得る遊技機の回路基板冷却構造を提供することを目的とする。
【課題を解決するための手段】
【０００８】
上記目的を達成するために、特許請求の範囲の請求項１に記載の発明は、回路基板が裏面に取り付けられ、その周囲がカバーで覆われ、前記回路基板の部品実装面側及び半田付け面側の双方の空間が各々面方向に通気可能に形成された遊技機の回路基板冷却構造において、前記カバーは、前記回路基板の遊技機裏面側の露出面全周を通気不能に覆うように形成され、このカバー内には、前記双方の空間をその上方及び下方で各々連通させる上及び下連通室と、遊技機上方の正面側に形成された上開口及び前記上連通室相互間を連通させる上通気路と、遊技機下方の正面側に形成された下開口及び前記下連通室相互間を連通させる下通気路とを具備することを特徴とする。
【０００９】
また、特許請求の範囲の請求項２に記載の発明は、上記請求項１に記載の発明において、上開口及び下開口相互間の通気経路途中に配置され、前記下開口から吸気した外気を前記通気経路を通って前記上開口から排気させる強制冷却空気流を発生させるファンを具備することを特徴とする。
【発明の効果】
【００１０】
特許請求の範囲の請求項１に記載の発明では、回路基板の部品実装面側及び半田付け面側の双方の空間を上方及び下方で各々連通させる上及び下連通室を設けた。そして、遊技機上方の正面側に形成された上開口及び上記上連通室相互間を連通させる上通気路と、遊技機下方の正面側に形成された下開口及び上記下連通室相互間を連通させる下通気路とを設けた。
これによれば、昇温した回路基板の部品実装面側及び半田付け面側の空気の熱交換先が、低効率のパチンコ島内の空間ではなく高効率の遊技者通路側の空間となり、上記回路基板を効率よく冷却させ、高温により回路の機能を停止させるという問題を解決し得る。
【００１１】
また、特許請求の範囲の請求項２に記載の発明によれば、請求項１に記載の発明において、強制冷却空気流を発生させるファンを設けたので、上記回路基板を高効率で冷却させ得、高温により回路の機能を停止させるという問題を充分に解決し得る。
【発明を実施するための最良の形態】
【００１２】
以下、本発明の実施の形態を図面に基づき説明する。なお、各図間において、同一符号は同一又は相当部分を示す。
図１は、本発明に係る回路基板冷却構造が適用されたパチンコ機、ここでは映像式パチンコ機の一実施形態を正面側から示す斜視図、図２は同じく裏面側から示す斜視図である。
【００１３】
始めに映像式パチンコ機について説明する。
映像式パチンコ機は、旧来からの機械式のパチンコ機（実パチンコ機）と同様の発射操作部を備え、入賞口、アウト口、遊技釘等の盤面構成部材が実パチンコ機の遊技盤面形態を模して配置された遊技盤面、及びこの遊技盤面上の遊技領域に打ち込まれ流下する遊技球等を画像表示器に表示して仮想的に遊技を行うパチンコ機である。
【００１４】
このような映像式パチンコ機において、遊技者は、遊技球貸出し可能金額を記憶させたカードをカードリーダ・ライタに読み込ませ、遊技媒体、ここではスコアに変換して遊技を行う。遊技終了時には、獲得したスコアを上記カードリーダ・ライタによりカードに記憶させ、そのスコアを媒介に景品と交換するものである。後述するコントロールパネルセットは、このような映像式パチンコ機における遊技の開始及び終了時に、遊技者が上記カードを用いて操作する装置部である。
【００１５】
図１、図２において、額縁状に形成された筐体１１の前面には、前面装飾枠１２が図示しないヒンジにより開閉自在に取り付けられている。
この前面装飾枠１２には、ランプ類やスピーカ等（図示せず）が搭載され、またこの前面装飾枠１２の裏面側には、前面側からの外力から後述する画像表示器を保護するための前面ガラス１３が取り付け固定されている。
また前面装飾枠１２の上方左右側には、各々排気用開口（上開口）１４が開けられている。更に前面装飾枠１２の下方には、遊技の開始及び終了時等に、遊技者が操作するコントロールパネルセット（以下、パネルセットと略記する。）１５が取付け固定されている。
【００１６】
パネルセット１５上面には、遊技に使用する遊技媒体の使用可能量(遊技球貸出し可能金額)を表示するカード残高表示部１５ａ及び獲得スコア表示部１５ｂがある。
またパネルセット１５前面には、遊技者が操作する貸出し球ボタン１５ｃ、カード返却ボタン１５ｄ、獲得スコア精算ボタン１５ｅ、図柄停止ボタン１５ｆがある。
【００１７】
パネルセット１５中央下方にはカード挿入口１５ｇがあり、パネルセット１５の左下方には、灰皿１５ｈが取り付けられている。また、パネルセット１５の右下方には、遊技球を、その発射強度を調整しながら発射するためのハンドルセット１５ｉが取り付けられている。
更に、パネルセット１５の下方左右側（灰皿１５ｈ及びハンドルセット１５ｉの下方）には、各々吸気用開口（下開口）１６が開けられている。
なお、図１，図２中の１７は裏セットカバーである。
【００１８】
図３は、図１に示したパチンコ機の正面側から示す分解斜視図、図４は、同じく裏面側から示す分解斜視図である。
これらの図から分かるように、画像表示装置、ここでは液晶画像表示装置３１は、筐体１１と前面装飾枠１２の間に位置し、図示しない固定装置により筐体１１に取付け固定される。
筐体１１の裏面には、主制御回路基板３２、画像表示制御回路基板３３、音声制御回路基板３４、電源回路基板３５等の回路基板群３６が取付け固定されている。これら回路基板３２〜３５は、各々回路基板本体に回路部品が実装されてなり、その部品実装面側を外方に向け、それとは反対側の半田付け面側を内方に向けた状態で、基板取付台３２ａ〜３５ａに取付固定されている。少なくとも基板取付台３２ａ，３３ａの外周には、通気穴群（図示省略）が開けられている。
【００１９】
また筐体１１の、画像表示装置３１を収納する表示装置収納室３７の上下各一箇所には通気口３８が開けられ、上部の通気口３８ａは排気口、下部の通気口３８ｂは吸気口となっている。以下、これらを筐体排気口３８ａ、筐体吸気口３８ｂという。
更に、筐体１１の上方左右側の、上記前面装飾枠１２に開けられた排気用開口１４との対応箇所には、各々排気開口（以下、筐体排気開口という。）３９が開けられている。そして、筐体１１の下方左右側の、上記パネルセット１５に開けられた吸気用開口１６との対応箇所には、各々吸気開口（以下、筐体吸気開口という。）４０が開けられている。
【００２０】
なお、主制御回路基板３２に備わる主制御回路は、パチンコ機全般の制御を司る、特に後述画像表示器に表示される遊技盤面画像における遊技状態を制御する回路である。
また、画像表示制御回路基板３３に備わる画像表示制御回路は、上記主制御回路の制御に基づき上記遊技盤面画像における表示制御を行う回路であり、音声制御回路基板３４に備わる音声制御回路は、上記主制御回路の制御に基づきスピーカ（図示せず）を用いた音声による演出の制御を行う回路である。
電源回路基板３５に備わる電源回路は、上記各回路や後述するファン等、パチンコ機各部に電源を供給する回路である。
【００２１】
各回路基板３２〜３４は、外力からの保護用のカバー（符号省略）に覆われており、各保護用のカバーには、カバー内部の電子／電気回路部品から発生した熱をカバー外部に放出するための通気穴群（図示省略）が開けられている。
そしてこれら各回路基板３２〜３４、つまり回路基板群３６の後方には、同回路基板群３６を外力や不正行為等から保護するための裏セットカバー１７が、同回路基板群３６が取付け固定された筐体１１の後部を丸ごと覆うように取付け固定されている。つまり回路基板群３６の裏面側の露出面全周は、裏セットカバー１７によりパチンコ機裏面側からはほぼ密閉状態で保護されている。
【００２２】
この裏セットカバー１７の中央内部には、排気用開口１４及び吸気用開口１６相互間の通気経路途中に位置し、吸気用開口１６から吸気した外気を上記通気経路を通って排気用開口１４から排気させる強制冷却空気流を発生させるファン４１が取り付けらている。
なお、各回路基板３２〜３５やファン４１の配線は図示を省略している。各回路基板３２〜３５は、図４中に表れている面側が部品実装面側であり、したがってその反対面側が半田付け面側となっている。
【００２３】
図５は、図３中の画像表示装置３１の正面側から示す分解斜視図、図６は、同じく裏面側から示す分解斜視図である。
これらの図から分かるように、画像表示装置３１は、画像表示器、ここでは液晶画像表示器３１ａと、その前後面を各別に覆う前カバー３１ｂ及び後カバー３１ｃとを備えてなり、画像表示器３１ａの裏面には冷却用の通気穴群３１ｄが開けられている。
【００２４】
後カバー３１ｃ内面の左右側部分には、この部分を、各々上下方向に２つの空間に仕切るリブ３１ｅが形成されている。また後カバー３１ｃの、上記筐体排気口３８ａ及び吸気口３８ｂと対応する上下各箇所には通気口５１が開けられ、上部の通気口は排気口、下部の通気口は吸気口となっている。以下、これらを後カバー排気口５１ａ、後カバー吸気口５１ｂという。
【００２５】
上述したようなパチンコ機の構造により、本実施形態が構成されるもので、以下これについて説明する。
なお本実施形態では、部品実装面側に加えて半田付け面側の放熱（冷却）をする対象を、主制御回路基板３２及び画像表示制御回路基板３３とした場合の構造を例示している。しかし画像表示器３１ａも、これら制御回路基板３２，３３と同じ裏セットカバー１７により同様にほぼ密閉されていることから、この画像表示器３１ａも冷却作用を受け、また音声制御回路基板３４や電源回路基板３５についても、部品実装面側については冷却作用を受ける構造となっている。
【００２６】
図７は図１に示すパチンコ機の正面概略図、図８はこの図７中の一点鎖線に沿って切断した右側断面の拡大図であって、この図８に本実施形態の回路基板冷却構造全体を示す。
図８（図１、図７）から分かるように、パネルセット１５の下方には吸気用開口１６が開けられ、前面装飾枠１２の上方には、排気用開口１４が開けられている。そして、これら吸気用及び排気用開口１６，１４相互間には、同吸気用開口１６から排気用開口１４に向かって第１及び第２冷却気流８１，８２が生じるように、次のような通気経路が形成されている。
【００２７】
すなわち、吸気用開口１６→筐体吸気開口４０→下通気路６１→ファン４１→下連通室６２→主制御回路基板３２の部品実装面側空間６３及び半田付け面側空間６４→上連通室６５→上通気路６６→筐体排気開口３９→排気用開口１４という経路で第１冷却気流８１が生じるように通気経路が形成されている。
また、吸気用開口１６→筐体吸気開口４０→下通気路６１→ファン４１→下連通室６２→筐体吸気口３８ｂ→後カバー吸気口５１ｂ→画像表示装置３１の部品収納部空間６７→後カバー排気口５１ａ→筐体排気口３８ａ→上連通室６５→上通気路６６→筐体排気開口３９→排気用開口１４という経路で第２冷却気流８２が生じるように通気経路が形成されている。
【００２８】
ここで連通室６２，６５は、主制御回路基板３２の部品実装面側空間６３及び半田付け面側空間６４の双方を連通させる通気空間で、下方に位置する連通室６２が下連通室、上方に位置する連通室６５が上連通室である。
また上通気路６６は、パチンコ機上方の正面側に形成された開口、本実施形態では排気用開口１４及び上連通室６５相互間を連通させる通気路を指し、下通気路６１は、同パチンコ機上方の正面側に形成された開口、本実施形態では吸気用開口１６及び下連通室６２相互間を連通させる通気路を指す。
【００２９】
主制御回路基板３２の部品実装面側空間６３は、主制御回路基板３２の部品実装面側に形成された空間、具体的には裏面に主制御回路基板３２及び画像表示制御回路基板３３（図４参照）が取り付けられた筐体１１と裏セットカバー１７との間に形成された空間を指す。
【００３０】
また、主制御回路基板３２の半田付け面側空間６４は、主制御回路基板３２の半田付け面側に形成された空間を指す。本実施形態では、下連通室６２に臨む基板取付台３２ａ外周の図中、下方側の通気穴群（図示省略）を経て、同基板取付台３２ａの内方を通り、同基板取付台３２ａ外周の図中、上方側の通気穴群（図示省略）を経て上連通室６５に至る空間（通気経路）を指す。
【００３１】
画像表示装置３１の部品収納部空間６７は、第２冷却気流８２を通して画像表示装置３１の構成部品（画像表示器３１ａを含む。）を冷却するための空間である。本実施形態では、下連通室６２に臨む筐体吸気口３８ｂ、後カバー吸気口５１ｂを経て、画像表示器３１ａ裏面に開けられた通気穴群３１ｄ中の上記リブ３１ｅで仕切られた下方部分に至り、ここから画像表示器３１ａ内部に入る。そしてこの画像表示器３１ａ内部を通って同リブ３１ｅで仕切られた通気穴群３１ｄ中の上方部分を経て、上連通室６５に臨む後カバー排気口５１ａ、筐体排気口３８ａに至る空間（通気経路）を指す。
【００３２】
なお、本実施形態において下通気路６１は、パネルセット１５と裏セットカバー１７との間に形成され、音声制御回路基板３４（図４参照）及び電源回路基板３５収納用の部屋（以下、下部収納室という。）ともなっている。この下部収納室も、吸気用開口１６から排気用開口１４に至る通気経路中にあるので、これら回路基板３４，３５もこの下部収納室内、つまり下通気路６１内において冷却される。
【００３３】
ファン４１は、吸気用開口１６及び排気用開口１４相互間の通気経路途中において、これら開口１６，１４の一方側から他方側への、本実施形態では吸気用開口１６側から排気用開口１４側に向かう強制冷却空気流を発生させる強制空冷用のファンである。このファン４１は、図示例では下通気路６１及び下連通室６２相互間に設けたが、吸気用開口１６及び排気用開口１４相互間の通気経路途中であればこれ以外の位置に設けてもよい。
【００３４】
図８においては、主制御回路基板３２で隠れて見えないが、図４に示す画像表示制御回路基板３３についても、上述した主制御回路基板３２の場合と同様にして冷却作用を受ける。また、電源回路基板３５で隠れて見えないが、同図４に示す音声制御回路基板３４についても、上述した電源回路基板３５の場合と同様の冷却作用を受ける。
【００３５】
以上の構成において、図８に示すパチンコ機が稼働、つまり電源投入され、筐体１１裏面の回路基板群３６（図４参照）が発熱し始めたものとする。以降は、同回路基板群３６中の主制御回路基板３２の発熱に着目して説明する。
主制御回路基板３２が発熱すると、同主制御回路基板３２の部品実装面側空間６３及び半田付け面側空間６４において昇温された空気は軽くなって上方（図８においても上方）に移動する。
この時、双方の空間６３，６４は上連通室６５で連通されており、この上連通室６５は上通気路６６を介して排気用開口１４に通じているので、同空間６３，６４内の昇温された空気は、上連通室６５で合流された後、上通気路６６を通って排気用開口１４から排気される。
【００３６】
一方、吸気用開口１６からは、比較的低温の外気が吸気され、下通気路６１を通って下連通室６２に移動し、ここで上記空間６３，６４の２方向に分流される。分流された各外気は、発熱中の主制御回路基板３２の部品実装面及び半田付け面と熱交換して同両面を冷却し、同時に昇温され、軽くなって上方に移動する。
【００３７】
つまり、吸気用開口１６→下通気路６１→ファン４１→下連通室６２→主制御回路基板３２の部品実装面側空間６３及び半田付け面側空間６４→上連通室６５→上通気路６６→排気用開口１４という通気経路に沿う空気流（図中、点線矢印で示す第１冷却気流８１）による冷却が行われ、主制御回路基板３２の部品実装面のみならず、半田付け面の冷却も有効に行われる。
【００３８】
ここで、吸気用開口１６及び排気用開口１４は、各々パチンコ機正面側、つまりパチンコ島とは反対側の遊技者通路側に向けられ、主制御回路基板３２の発熱により昇温した空気の熱交換先は遊技者通路側の空間となっている。したがって、パチンコ島内が熱交換先となる従来技術に比べて主制御回路基板３２の半田付け面の冷却が効率よく行われ、同半田付け面の半田を溶かし、実装部品の電気的な接続を不安定にすることを防止できる。
【００３９】
特に、遊技者通路側の空気は、通常、エア・コンディショニングされ、また循環している、熱交換（主制御回路基板３２の冷却）に極めて有効な空気である。したがって、このような空気が、吸気用開口１６から裏セットカバー１７内に取り込まれ、上記通気経路を経て排気用開口１４から遊技者通路側に排気されるという空気流の循環によれば、主制御回路基板３２の半田付け面の冷却が高効率で行われ、主制御回路基板３２の半田付け面の半田を溶かすことを防止できる。
【００４０】
しかも本実施形態では、ファン４１を吸気用開口１６及び排気用開口１４相互間の通気経路途中、図示例では下通気路６１及び下連通室６２相互間に設けたので、吸気用開口１６側から排気用開口１４側に向かう強制冷却空気流を発生させることができ、主制御回路基板３２の半田付け面の半田を溶かすことを充分に防止できる。
本実施形態では、吸気用開口１６→筐体吸気開口４０→下通気路６１→ファン４１→下連通室６２→画像表示装置３１の部品収納部空間６７→上連通室６５→上通気路６６→排気用開口１４という通気経路に沿う空気流（図中、下連通室６２以降における実線矢印で示す第２冷却気流８２）による冷却も行われ、画像表示装置３１の構成部品の冷却も有効に行われる。
【００４１】
なお、主制御回路基板３２が発熱すれば、上述したように吸気用開口１６側から排気用開口１４側に向かう空気流が生じ、遊技者通路側の空気と熱交換して主制御回路基板３２の半田付け面の冷却（自然通気冷却）が行われるので、ファン４１は必ず設けなければならないものではない。
またファン４１は、パチンコ機の電源のオン／オフに伴って回転／停止するように、つまりパチンコ機稼働中、常時回転動作するようにしてもよいが、サーモスタットのような温度検出装置を設け、予め設定した温度以上においてのみ回転するようにしてもよい。この場合、ファン４１停止時には上記自然通気冷却が行われ、省電力が図れる。
【００４２】
上述実施形態において、下連通室６２から上記空間６３，６４への空気の分流割合については、例えば図８中の二点鎖線で示す位置８３に適宜高さ（図中左右方向の寸法）の衝立板を所定の幅（図示面に垂直な方向の寸法）で設けることにより調整可能である。
【００４３】
なお上述実施形態では、本発明を映像式パチンコ機の回路基板冷却構造に適用した場合について述べたが、実パチンコ機の回路基板冷却構造に適用してもよく、更には、パチンコ機以外の遊技機の回路基板冷却構造に適用してもよい。
【図面の簡単な説明】
【００４４】
【図１】本発明に係る回路基板冷却構造が適用された映像式パチンコ機の一実施形態を正面側から示す斜視図である。
【図２】同じく裏面側から示す斜視図である。
【図３】図１に示したパチンコ機の正面側から示す分解斜視図である。
【図４】同じく裏面側から示す分解斜視図である。
【図５】図３中の画像表示装置の正面側から示す分解斜視図である。
【図６】同じく裏面側から示す分解斜視図である。
【図７】図１に示すパチンコ機の正面概略図である。
【図８】本発明に係る回路基板冷却構造の実施形態につき、図７中の一点鎖線に沿う切断面を右側から拡大して示す図である。
【符号の説明】
【００４５】
１１：筐体、１２：前面装飾枠、１４：排気用開口（上開口）、１６：吸気用開口（下開口）、１７：裏セットカバー（カバー）、３１：画像表示装置、３１ａ：画像表示器、３１ｄ：通気穴群、３２：主制御回路基板、３８ａ：筐体排気口、３８ｂ：筐体吸気口、３９：筐体排気開口、４０：筐体吸気開口、５１ａ：後カバー排気口、５１ｂ：後カバー吸気口、６１：下通気路、６２：下連通室、６３：主制御回路基板の部品実装面側空間、６４：主制御回路基板の半田付け面側空間、６５：上連通室、６６：上通気路、８１：第１冷却気流、８２：第２冷却気流。
【図１】
2006026292.tif 000003
【図２】
2006026292.tif 000004
【図３】
2006026292.tif 000005
【図４】
2006026292.tif 000006
【図５】
2006026292.tif 000007
【図６】
2006026292.tif 000008
【図７】
2006026292.tif 000009
【図８】
2006026292.tif 000010